(57)【要約】【課題】コンパクトでイオン発生効率の高いイオン発生装置付き温風機を提供する。【解決手段】イオン発生装置付き温風機１は、ファン２と、該ファン２からの送風を吹出口４にまで導くダクト３と、該ダクト３内に設置されたエアヒータ５と、ダクト３内を流れる空気にイオンを発生させるイオン発生装置８等を備えている。エアヒータ５の電気絶縁板５ａは、ダクト３内のエア流れ方向に沿って配置されており、これによりダクト３内がエアヒータ用の送風路６とイオン発生装置８用の送風路７とに区画されている。イオン発生装置８は、その電極８ａが該イオン発生装置８用の送風路７に臨むようにして設置されている。【選択図】図１
2005265291.tif 000002
【特許請求の範囲】
【請求項１】
ファンと、該ファンから送風を加温するためのエアヒータと、該送風中にイオンを存在させるためのイオン発生装置とを有するイオン発生装置付き温風機において、
該ファンからの送風を導く第１の送風路と第２の送風路とが並列に設けられており、
該第１の送風路に該エアヒータが設けられ、該第２の送風路に該イオン発生装置が設けられていることを特徴とするイオン発生装置付き温風機。
【請求項２】
請求項１において、該第１の送風路及び第２の送風路は、前記ファンからの送風を吹出口まで導くためのダクト内を仕切壁によって区画することにより形成されたものであることを特徴とするイオン発生装置付き温風機。
【請求項３】
請求項２において、前記エアヒータは、電気絶縁板と該電気絶縁板に取り付けられた発熱体とを備えてなり、
該電気絶縁板は、前記仕切壁の少なくとも一部を構成していることを特徴とするイオン発生装置付き温風機。
【発明の詳細な説明】
【技術分野】
【０００１】
本発明は空気中にイオンを発生させるイオン発生装置を備えた温風機に関する。
【背景技術】
【０００２】
近年、ユーザの快適志向や健康志向の高まりに応じ、イオン発生装置を備えた温風機が実用化されている。
【０００３】
例えば、特開２００４−３７９７号公報には、筐体内が上側部分と下側部分に区切られ、上側部分に送風機、脱臭機能部及びマイナスイオン発生器が設けられ、下側部分に送風機及びヒータが設けられてなるトイレ用送風機能付き足元暖房装置が記載されている。
【０００４】
この二つの送風機で構成されるトイレ用送風機能付足元暖房装置は、人体検知センサ及び温度センサにより自動ＯＮ−ＯＦＦ運転、暖房運転と送風運転の切換えができるように構成されている。この二つの送風機で構成されるトイレ用送風機能付足元暖房装置は、暖房運転時には、送風機が吸入口から臭気を含んだ空気を吸引し、加熱触媒付ヒータ部がこの空気を脱臭及び加熱し、温風吹出口から人の足元に当たるように下方向に向かって吹出す。マイナスイオンを付加したい時は、マイナスイオン生成器と送風機を同時に稼動する。
【０００５】
一方、送風運転時には、送風機が吸入口から臭気を含んだ空気を吸引し、脱臭機能部がこの空気を脱臭し、マイナスイオン発生器がこの空気にマイナスイオンを付加し、送風吹出口より人の上半身に当たるように吹き出す。
【０００６】
特開昭６４−６２５３２号公報には、温風乾燥機能とオゾン発生機能とを有する温水洗浄式便器において、温風ファンからの送風を導くための送風通路のうち、上流側に電気ヒータが設けられ、下流側にオゾン発生器のオゾン発生用電極部が設けられた構成が記載されている。このオゾン発生用電極部に高周波高電圧が印加されると、オゾン発生用電極部に沿面ストリーマー放電が発生し、オゾン発生用電極部の表面を通過する酸素をオゾンに変化させる。従って、温風ファンから送風され、電気ヒータによって暖められた送風は、オゾン発生用電極部の表面を通過する際にオゾンが付加された後、吹出口から吹出される。吹出口から吹き出されたオゾンを含む温風は、温水により洗浄された肛門部方向に放出され、同洗浄部を乾燥するとともに同洗浄部に寄生する細菌を殺菌し、同洗浄部の化膿を防止する。また、上記洗浄部に放出されたオゾンが拡散し、便器に付着した大腸菌等の細菌や空中浮遊菌などを殺菌するため、便所内を清潔にするとともに脱臭する。
【特許文献１】特開２００４−３７９７号公報
【特許文献２】特開昭６４−６２５３２号公報
【発明の開示】
【発明が解決しようとする課題】
【０００７】
イオン発生装置とヒータを並列に設け、イオン発生装置とヒータの各々に送風機を設ける場合、２機の送風機が必要となり、イオン発生装置付き温風機が大型化する。
【０００８】
イオン発生装置をヒータの風下に取り付けると、温風機内の送風路が長くなり、この場合もイオン発生装置付き温風機が大型化する。
【０００９】
イオン発生装置をヒータの風上に取り付けると、イオン発生装置によって発生したイオンがヒータに吸収されるため、イオンの発生効率が悪くなる。
【００１０】
本発明は、上記問題点を解消し、コンパクトでイオン発生効率の高いイオン発生装置付き温風機を提供することを目的とする。
【課題を解決するための手段】
【００１１】
本発明（請求項１）のイオン発生装置付き温風機は、ファンと、該ファンから送風を加温するためのエアヒータと、該送風中にイオンを存在させるためのイオン発生装置とを有するイオン発生装置付き温風機において、該ファンからの送風を導く第１の送風路と第２の送風路とが並列に設けられており、該第１の送風路に該エアヒータが設けられ、該第２の送風路に該イオン発生装置が設けられていることを特徴とするものである。
【００１２】
請求項２のイオン発生装置付き温風機は、請求項１において、該第１の送風路及び第２の送風路は、前記ファンからの送風を吹出口まで導くためのダクト内を仕切壁によって区画することにより形成されたものであることを特徴とするものである。
【００１３】
請求項３のイオン発生装置付き温風機は、請求項２において、前記エアヒータは、電気絶縁板と該電気絶縁板に取り付けられた発熱体とを備えてなり、該電気絶縁板は、前記仕切壁の少なくとも一部を構成していることを特徴とするものである。
【発明の効果】
【００１４】
本発明（請求項１）のイオン発生装置付き温風機にあっては、第１の送風路と第２の送風路とが並列に設置され、第１の送風路にエアヒータが設置され、第２の送風路にイオン発生装置が設置されているため、エアヒータの風下にイオン発生装置を設置する場合と比べてファンから吹出口までの風路長が短くて済むので、イオン発生装置付き温風機がコンパクトになる。また、ファンも１基で足りるので、これによってもイオン発生装置付き温風機がコンパクト化される。本発明では、エアヒータ用の第１の送風路とイオン発生装置用の第２の送風路とが並列に設けられており、イオン発生装置で発生したイオンがエアヒータに吸収されることがない。従って、イオン濃度の高い風を吹き出すことができる。
【００１５】
請求項２のイオン発生装置付き温風機は、ダクト内を仕切壁で区画することにより第１の送風路と第２の送風路とを区画形成したものであり、イオン発生装置付き温風機をコンパクトにすることができる。
【００１６】
請求項３のイオン発生装置付き温風機にあっては、この仕切壁の少なくとも一部をエアヒータの電気絶縁板で構成したことにより、部材の共通化によるコンパクト化及び部材コストの低減を図ることができる。
【発明を実施するための最良の形態】
【００１７】
以下、本発明の実施の形態について図面を参照して説明する。図１は実施の形態に係るイオン発生装置付き温風機の縦断面図である。
【００１８】
このイオン発生装置付き温風機１は、ファン２と、該ファン２からの送風を吹出口４にまで導くダクト３と、該ダクト３内に設置されたエアヒータ５と、ダクト３内を流れる空気にイオンを発生させるイオン発生装置８等を備えている。
【００１９】
このエアヒータ５は、マイカ板などの電気絶縁板５ａにニクロム線、セラミックヒータなどの発熱体５ｂを取り付けたものである。
【００２０】
この電気絶縁板５ａは、ダクト３内のエア流れ方向に沿って配置されており、該電気絶縁板５ａによりダクト３内がエアヒータ用の送風路６とイオン発生装置８用の送風路７とに区画されている。発熱体５ｂは該送風路６内に配置されている。前記イオン発生装置８は、その電極８ａが該イオン発生装置８用の送風路７に臨むようにして設置されている。なお、送風路７の断面積は、送風路６の断面積よりも小さいものとなっている。
【００２１】
この実施の形態に係るイオン発生装置付き温風機１は、便器上の便座ボックスあるいはタンクカバー（いずれも図示略）内に設置されるトイレルーム室内暖房用であり、吹出口４は該便座ボックス又はタンクカバーの側面の温風吹出口に臨むように設置される。ダクト３の下部は緩やかに湾曲した曲部３ａとなっており、吹出口４から温風が斜め下方に吹き出すよう構成されている。
【００２２】
この実施の形態では、イオン発生装置用送風路７は該曲部３ａ側に配置されており、該送風路７を通った風が該曲部３ａに沿って流れて吹出口４から吹き出す。
【００２３】
このように構成されたイオン発生装置付き温風機１を使用する場合には、ファン２、エアヒータ５及びイオン発生装置８を作動させ、エアヒータ用送風路６及びイオン発生装置用送風路７内に空気を送風する。エアヒータ用送風路６内に送風された空気は、エアヒータ５によって暖められる。また、イオン発生装置用送風路７内に送風された空気は、電極８ａに沿って流れる間にイオンが付加される。これら送風路６，７を通過した空気は合流し、吹出口４から吹き出す。
【００２４】
なお、イオン発生装置８を停止して温風のみを吹き出させてもよく、エアヒータ５を停止してイオンを含む常温の風を吹き出すようにしてもよい。
【００２５】
本実施の形態のイオン発生装置付き温風機１にあっては、エアヒータ５とイオン発生装置８とが略並列に配置されているため、エアヒータの風下にイオン発生装置を配置する従来例と比べてイオン発生装置付き温風機１がコンパクトになる。また、送風路６，７を区画する仕切壁がエアヒータ５の電気絶縁板５ａと兼用されているため、部材の共通化によるコンパクト化及びコストダウンを図ることができる。
【００２６】
この実施の形態では、送風路６，７が並列されており、電極８ａ付近で発生したイオンがエアヒータ５を流れないので、イオンが消滅しにくく、吹出口４からイオン濃度の高い風を送り出したり、あるいはイオン発生装置８の消費電力の低減を図ることができる。
【００２７】
なお、この実施の形態では、イオン発生装置用送風路７を通った常温の風が曲部３ａに沿って流れて吹出口４に至る。このため、送風路６を通りエアヒータ５によって加温された風が曲部３ａを直射することが防止される。これにより、曲部３ａ付近の構成材料に要求される耐熱性や断熱性の要求特性を緩和することができる。
【００２８】
本発明のイオン発生装置付き温風機は、トイレルーム以外の暖房にも用いることができる。
【図面の簡単な説明】
【００２９】
【図１】実施の形態に係るイオン発生装置付き温風機の縦断面図である。
【符号の説明】
【００３０】
１  イオン発生装置付き温風機
２  ファン
３  ダクト
５  エアヒータ
５ａ  電気絶縁板
５ｂ  発熱体
６  エアヒータ用送風路
７  イオン発生装置用送風路
８  イオン発生装置
【図１】
2005265291.tif 000003